(57)【要約】【課題】  格闘技に用いる拳サポータの手甲部を保護する拳サポータカバーを提供する。【解決手段】  拳サポータカバー１は、拳サポータの手甲部の内側部分を覆う手掌カバー部２と、該手甲部の外側部分を覆う手甲カバー部３とを有する袋状部材であり、拳サポータに着脱可能に取付けられる。手甲カバー部３は、直交する２方向に伸縮性を有する素材で構成される。手甲カバー部３の内表面上に、拳サポータにおける手甲部の外側部分表面に対して、手甲カバー部３よりも大きな摩擦係数を有するスリップ抑制材７を備える。【選択図】        図２
2005261482.tif 000002
【特許請求の範囲】
【請求項１】
格闘技に用いる拳サポータの手甲部の外側部分を覆う手甲カバー部を有し、
前記拳サポータに着脱可能に取付けられる拳サポータカバー。
【請求項２】
前記手甲カバー部は、直交する２方向に伸縮性を有する素材で構成される、請求項１に記載の拳サポータカバー。
【請求項３】
前記手甲カバー部の内表面上に、該手甲カバー部よりも大きな摩擦係数を有する部材を備えた、請求項１または請求項２に記載の拳サポータカバー。
【請求項４】
前記拳サポータカバーは装着者の手を挿入する手口挿入部を有し、
前記手口挿入部は伸縮性の帯状部材を含む、請求項１から請求項３のいずれかに記載の拳サポータカバー。
【請求項５】
前記拳サポータカバーは前記手甲カバー部を含む袋状部材であり、
前記袋状部材は、装着者の人差し指、中指、薬指および小指の中の少なくとも１本の指を前記拳サポータカバーの内部から外部に出すための開口部と、前記開口部の周囲に補強部とを有する、請求項１から請求項４のいずれかに記載の拳サポータカバー。
【請求項６】
前記拳サポータカバーは前記手甲部の内側部分を覆う手掌カバー部を有し、
前記手甲カバー部と前記手掌カバー部との材質が異なる、請求項１から請求項５のいずれかに記載の拳サポータカバー。
【請求項７】
前記拳サポータカバーは装着者の親指を受け入れる親指カバー部を有し、
前記拳サポータカバーの掌側における前記親指カバー部の先端部の表面は、前記手甲カバー部よりも耐ピリング性の大きな材料で構成される、請求項１から請求項６のいずれかに記載の拳サポータカバー。
【発明の詳細な説明】
【技術分野】
【０００１】
本発明は、拳サポータカバーに関し、特に、空手などの格闘技において使用する拳サポータに取付ける拳サポータカバーに関する。
【背景技術】
【０００２】
空手などの格闘技において、競技者の拳を保護するための拳サポータが従来から用いられている。
【０００３】
拳サポータは、たとえば、装着者の手の甲部分ならびに人差し指から小指の基節骨および中節骨近傍を覆うように形成され、装着者の拳を保護する手甲部と、装着者の手首を覆う手首部とを備える。
【０００４】
手甲部は、緩衝材を表皮で覆うことにより形成される。これにより、装着者の拳が保護される。
【０００５】
登録実用新案第３０８６９３７号公報（従来例１）においては、手首部分と手の甲部分と指部分とを覆うような扁平筒状部材の片側内面に緩衝材を配置した拳プロテクタであって、上記緩衝材を配置した部分の両面を赤／白に色分けしてリバーシブルとした拳プロテクタが開示されている。
【特許文献１】登録実用新案第３０８６９３７号公報
【発明の開示】
【発明が解決しようとする課題】
【０００６】
上記のような拳サポータにおいては、以下のような問題があった。
【０００７】
拳サポータは、繰り返し用いられるため、本体部の表面が劣化したり、傷がついたりする場合がある。サポータ本体（手甲部）に傷がつき、その傷から汗などが内部に侵入することにより、拳サポータの寿命が短縮される場合がある。
【０００８】
これに対し、従来の拳サポータにおいて、手甲部の外側部分表面を保護するという観点から拳サポータ本体上にカバー部材を設け、該カバー部材を取付けた状態で競技を行なうという思想は開示されていない。
【０００９】
本発明は、上記のような問題に鑑みてなされたものであり、本発明の目的は、拳サポータの手甲部を保護する拳サポータカバーを提供することにある。
【課題を解決するための手段】
【００１０】
本発明に係る拳サポータカバーは、格闘技に用いる拳サポータの手甲部の外側部分を覆う手甲カバー部を有し、拳サポータに着脱可能に取付けられる。
【００１１】
拳サポータの手甲部は、装着者の拳の上側を覆う。手甲部の外側とは、拳サポータの装着者の拳と反対側を意味する。また、手甲部の内側とは、拳サポータの装着者の拳側を意味する。
【００１２】
拳サポータカバーを取付けることにより、拳サポータ本体を保護することができ、その寿命を延ばすことができる。
【００１３】
手甲カバー部は、直交する２方向に伸縮性を有する素材で構成されることが好ましい。
【００１４】
これにより、拳サポータカバーが、曲面で構成される拳サポータの外側部分表面に対して、より密着しやすくなる。
【００１５】
手甲カバー部の内表面上に、該手甲カバー部よりも大きな摩擦係数を有する部材を備えることが好ましい。
【００１６】
ここで、摩擦係数とは、拳サポータの手甲部の外側部分表面に対する摩擦係数を意味する。
【００１７】
これにより、拳サポータの使用時に、拳サポータカバーがずれるのを抑制することができる。
【００１８】
拳サポータカバーは装着者の手を挿入する手口挿入部を有し、手口挿入部は伸縮性の帯状部材を含むことが好ましい。
【００１９】
伸縮性の部材を用いることにより、手口挿入部が広がるため、拳サポータカバーの拳サポータへの取付けおよび拳サポータの装着がしやすくなる。また、拳サポータを装着した後は、手口挿入部が装着者の手首に密着し、拳サポータカバーがずれるのを抑制することができる。
【００２０】
拳サポータカバーは手甲カバー部を含む袋状部材であり、袋状部材は、装着者の人差し指、中指、薬指および小指の中の少なくとも１本の指を拳サポータカバーの内部から外部に出すための開口部と、開口部の周囲に補強部とを有することが好ましい。
【００２１】
拳サポータカバーを袋状部材とすることで、拳サポータカバーの拳サポータへの密着性を高めることができる。また、開口部および補強部を設けることで、装着者の指先により拳サポータカバーが損傷するのを抑制することができる。
【００２２】
拳サポータカバーは、拳サポータの手甲部の内側部分を覆う手掌カバー部を有し、手甲カバー部と手掌カバー部との材質が異なることが好ましい。
【００２３】
これにより、手甲カバー部において拳サポータへの密着性を高めながら、手掌カバー部において通気性などを高めることができる。
【００２４】
拳サポータカバーは装着者の親指を受け入れる親指カバー部を有し、拳サポータカバーの掌側における親指カバー部の先端部の表面は、手甲カバー部よりも耐ピリング性の大きな材料で構成されることが好ましい。
【００２５】
なお、ピリングとは、布表面を摩擦することにより、繊維がもつれあって、ほつれが生じることを意味する。すなわち、耐ピリング性とは、繊維のほつれにくさを意味する。
【００２６】
耐ピリング性を高めることにより、拳サポータカバーの掌側における親指カバー部の先端部で、繊維がほつれるのを抑制することができる。結果として、拳サポータカバーの耐久性が向上する。
【発明の効果】
【００２７】
本発明によれば、拳サポータの手甲部を保護し、拳サポータの寿命を延ばすことができる。
【発明を実施するための最良の形態】
【００２８】
以下に、本発明に基づく拳サポータカバーの実施の形態について説明する。
【００２９】
本実施の形態に係る拳サポータカバーは、格闘技に用いる拳サポータの手甲部の外側部分を覆う手甲カバー部を有し、拳サポータに着脱可能に取付けられる。
【００３０】
拳サポータは、たとえば空手などの格闘技において、競技者の拳を保護するために装着されるものであり、発泡樹脂を表皮で覆うことにより形成される。ここで、発泡樹脂は打撃時の衝撃を和らげる緩衝材として機能し、表皮は、緩衝材を保護する。
【００３１】
拳サポータは、典型的には、装着者の拳を覆う手甲部と、装着者の手首部を覆う手首部とを備える。手甲部は、典型的には、装着者の手の甲部分を覆う第１部分（中央部）と、人差し指から小指の基節骨および中節骨付近を覆う第２部分（先端部）とを有する。
【００３２】
上記の第２部分は、典型的には、第１部分の先端部から、掌側に向けてほぼ直角に立ち上がる。これにより、装着者の拳が自然な状態で、拳サポータが装着される。また、第１部分には、装着者の親指を受け入れる筒状の親指挿入部が設けられ、第２部分には、装着者の人差し指から小指を受け入れる指挿入部が設けられる。親指部に親指を挿入し、指挿入部に人差し指から小指を挿入することで、拳サポータが装着される。
【００３３】
一般的に、拳サポータは、繰り返し使用される。拳サポータの寿命を延ばすために、表皮や緩衝材の耐久性を向上させることが望まれる。これに対し、表皮上に拳サポータカバーを装着することで、拳サポータ本体を保護することができ、その耐久性を向上させ、寿命を延ばすことができる。
【００３４】
拳サポータ本体において、最も耐久性向上が望まれるのは、打撃時などに直接衝撃を受ける手甲部である。したがって、少なくとも手甲部の外側部分を覆う拳サポータカバーを取付けることが、拳サポータの耐久性向上に対して効果的である。
【００３５】
また、拳サポータカバーは、拳サポータに対して着脱可能に取付けられるので、拳サポータカバーが損傷したときは、新たな拳サポータカバーに容易に取換えることができる。
【００３６】
手甲カバー部は、直交する２方向に伸縮性を有する素材で構成されることが好ましい。
【００３７】
このような素材は、たとえば、ナイロン、ポリエステル、ポリウレタンなどで形成される。
【００３８】
拳サポータの手甲部の外側部分表面は、典型的には、３次元の曲面で構成される。これに対し、手甲カバー部が２方向に伸縮性を有することで、拳サポータカバーが拳サポータの手甲部の外側部分表面に対して、より密着しやすくなる。
【００３９】
拳サポータカバーは、上記のような伸縮性を有するとともに、耐久性に優れた素材で構成されることが好ましい。たとえば、拳サポータカバーの耐ピリング性が小さいと、ほつれが生じやすくなり、ほつれた糸が切断することにより、結果として、耐久性が低下する。
【００４０】
拳サポータカバーを構成する素材の耐久性などを向上させるための方法としては、たとえば、縫い目を細かくしてほつれを生じさせにくくする、樹脂を糸に含ませて縫目を固める、熱することにより糸を溶かして縫目を固めるなどの方法が考えられる。
【００４１】
たとえば、生地のゲージ数は２８以上４０以下程度（より好ましくは３０以上３６以下程度）であることが好ましい。ゲージ数を上記範囲内に設定することで、耐スナッグ性および耐久性を確保しながら、拳サポータカバーの重量増加を抑制することができる。なお、生地におけるゲージ数とは、１インチ（約２．５４ｃｍ）あたりのループ数を意味し、編目の細かさの指標となるものである。
【００４２】
また、別の観点では、ほつれた糸が切断しにくくなるように、太い糸（３０ｄＴＥＸ以上１５０ｄＴＥＸ以下程度、より好ましくは４０ｄＴＥＸ以上８０ｄＴＥＸ以下程度）を用いることが考えられる。この範囲内の太さの糸を用いることで、耐スナッグ性、耐ピリング性および耐久性を確保しながら、拳サポータカバーの重量増加および伸縮性の低下（フィット性の低下）を抑制することができる。
【００４３】
ところで、空手などの競技においては、相対するそれぞれの競技者が装着する拳サポータの色（たとえば赤／青など）を異ならせる場合がある。これにより、競技中の判別が容易になるなどの効果が得られる。一方、たとえばコスト面での負担などを考慮して、競技者が準備すべき拳サポータの種類（個数）をできるだけ少なくしたいという要請がある。
【００４４】
上述したように、拳サポータカバーに着色を施し、複数の色の拳サポータカバーを準備することで、該カバーを取換えて、１つの拳サポータの色を任意に変更することができる。したがって、拳サポータを用いる競技を行なうに際し、１つの拳サポータを準備するだけで、複数の色の拳サポータを準備するのと同様の効果を奏する。
【００４５】
なお、手甲カバー部は、手甲部の外側部分を完全に覆う必要はなく、たとえば手甲部における外側部分の縁端近傍において、若干の覆われていない部分がある場合も、手甲部を保護する効果を奏する限り、手甲カバー部が手甲部の外側部分を覆っていると解釈されるべきである。
【００４６】
手甲カバー部の内表面上に、該手甲カバー部よりも大きな摩擦係数（拳サポータの手甲部の外側部分表面に対する摩擦係数）を有する部材（スリップ抑制材）を備えることが好ましい。なお、スリップ抑制材は、たとえば、手甲カバー部の指先側先端部などに設けられる。
【００４７】
これにより、拳サポータの使用時に、拳サポータカバーがずれるのを抑制することができる。なお、スリップ抑制材を手甲カバー部の指先側先端部に設けた場合は、拳サポータカバーの拳サポータへの取付けの容易さは損なわれない。
【００４８】
スリップ抑制材を構成する材料としては、たとえば、シリコン、ＴＰＵ（Ｔｈｅｒｍｏｐｌａｓｔｉｃ  Ｐｏｌｙｕｒｅｔｈａｎｅ）、オレフィン系樹脂、エラストマなどが挙げられる。これらの材料を手甲カバー部上に接着するなどして、スリップ抑制材が設けられる。上記のような材料を用いることにより、手甲カバー部の伸びを阻害することなく、手甲カバー部と拳サポータの手甲部との間の摩擦係数を向上させ、両者のずれ（スリップ）を抑制することができる。
【００４９】
拳サポータカバーは装着者の手を挿入する手口挿入部を有し、手口挿入部は伸縮性の帯状部材を含むことが好ましい。
【００５０】
帯状部材は、ゴムなどにより形成され、典型的には、環状に形成されて手口挿入部を構成するが、手口挿入部の一部に弾性体を設ける構造としてもよい。
【００５１】
上記の構成により、手口挿入部を容易に拡張することができる。その結果、拳サポータへの拳サポータカバーの取付けと、拳サポータの装着とが容易になる。また、拳サポータを装着した後は、手口挿入部が装着者の手首に密着し、拳サポータカバーがずれるのを抑制することができる。
【００５２】
拳サポータカバーは、典型的には、手甲カバー部を含む袋状部材として形成される。該カバーを袋状部材とすることで、拳サポータカバーを拳サポータに固定しやすくなる。この結果、拳サポータ使用時のずれ（スリップ）を効果的に抑制することができる。
【００５３】
上記の袋状部材は、装着者の人差し指、中指、薬指および小指の中の少なくとも１本の指を拳サポータカバーの内部から外部に出すための開口部と、開口部の周囲に補強部とを有することが好ましい。
【００５４】
開口部および補強部は、典型的には、上記袋状部材の先端部に設けられる。たとえば、袋状部材の先端部の一部を人工皮革などの強度（引張強度）の大きい素材で構成し、その素材の一部に孔を設けることにより、開口部（孔）およびその周辺の補強部（人工皮革）が形成される。
【００５５】
上記の開口部を設けることにより、打撃による衝撃をうけた際に、装着者の指先によって拳サポータカバーが損傷するのを抑制することができる。また、開口部周辺に補強部を設けることで、開口部近傍で拳サポータカバーが損傷（破断）し、その破断が進行するのを抑制することができる。
【００５６】
拳サポータカバーは、拳サポータの手甲部の内側部分を覆う手掌カバー部を有し、手甲カバー部と手掌カバー部との材質が異なることが好ましい。
【００５７】
手甲カバー部は、拳サポータへの密着性を高めるために、伸縮性が大きいことが好ましい。一方、手掌カバー部は装着者の掌部と直接接触するので、掌部の発汗を効率よく蒸散させるために、通気性が高いことが好ましい。
【００５８】
上記のように手甲カバー部と手掌カバー部との材質を異ならせることで、たとえば、手甲カバー部において拳サポータへの密着性を高める素材を用いながら、手掌カバー部において通気性を高める素材を用いることができる。
【００５９】
拳サポータの手首部にベルトの一端を固定しておき、拳サポータを装着する際には、そのベルトを装着者の手首に巻きつけ、ベルトの他端を面ファスナを用いて拳サポータの手首部に固定することができる。このようにすることで、装着者の拳に拳サポータがより強固に固定される。
【００６０】
拳サポータカバーは装着者の親指を受け入れる親指カバー部を有する。上記ベルトの他端を拳サポータの手首部に固定する際、拳サポータカバーの掌側における親指カバー部の先端部が、面ファスナに触れることになる。
【００６１】
したがって、拳サポータカバーの掌側における親指カバー部の先端部の表面は、手甲カバー部よりも耐ピリング性（ほつれにくさ）の大きな材料で構成されることが好ましい。
【００６２】
これにより、拳サポータカバーの内側において親指カバー部の先端部が、面ファスナとの接触によってほつれるのを抑制し、結果として、拳サポータカバーの耐久性を向上させることができる。
【００６３】
この部分の耐ピリング性を向上させるための方法としては、たとえば、人工皮革などの素材を、当該部分に貼り付ける方法などが考えられる。
【実施例】
【００６４】
以下に、本発明に基づく拳サポータカバーの１つの実施例について説明する。
【００６５】
図１は、本実施例に係る拳サポータカバー１を示した正面図である。また、図２は、拳サポータカバー１を示した背面図である。なお、図１から後述する図５においては、拳サポータカバーおよび拳サポータのうち、左手に装着されるものを示している。
【００６６】
図１，図２に示すように、拳サポータカバー１は、手掌カバー部２と手甲カバー部３とを縫着して形成される。なお、図１から後述する図５までにおいて、図中の破線は、各部材どうしを縫着する縫目を示す。
【００６７】
手掌カバー部２および手甲カバー部３は、番手およびフィラメント数が、それぞれ４４ｄＴＥＸ、３６であるポリエステル繊維と、同じく番手およびフィラメント数が、それぞれ４４ｄＴＥＸ、４であるポリウレタンとを８：２の割合で用い、直交する２方向において伸縮性を有するように編み上げた素材を用いて構成されている。上記素材を用いることにより、手掌カバー部２および手甲カバー部３の伸縮性に併せて、その耐久性を確保することができる。
【００６８】
なお、手掌カバー部２および手甲カバー部３に用いる繊維の番手については、一定の範囲（たとえば３０ｄＴＥＸ以上１５０ｄＴＥＸ以下程度、より好ましくは４０ｄＴＥＸ以上８０ｄＴＥＸ以下程度）で変更が可能である。さらに、手掌カバー部２および手甲カバー部３に用いる生地のゲージ数についても、一定の範囲内（たとえば２８以上４０以下程度、より好ましくは３０以上３６以下程度）で変更が可能である。
【００６９】
拳サポータカバー１の手掌カバー部２側には、人工皮革で形成される補強部２Ａが設けられ、補強部２Ａには、開口部２Ｂが設けられる。開口部２Ｂは、後述する拳サポータの装着者の人差し指から小指までを挿入するために設けられる。
【００７０】
手掌カバー部２および手甲カバー部３には、接続補強部５を介して、親指カバー部４が縫着される。親指カバー部４は、後述する拳サポータにおける親指挿入部をカバーする。親指カバー部４の掌側の先端部には、耐ピリング性の大きい耐ピリング補強部４Ａが設けられている。
【００７１】
手甲カバー部３の指先側先端部や、手掌カバー部２と手甲カバー部３との縫目近傍（図１，図２中の一点鎖線で囲まれる領域およびその近傍）には、シリコンラバー、ＴＰＵ、オレフィン系樹脂、エラストマなどからなるスリップ抑制材７が設けられている。スリップ抑制材７は、上記の素材を、手甲カバー部３の内表面上に接着するなどして設けられる。
【００７２】
拳サポータカバー１の手口挿入部８には、環状のゴム６（帯状部材）が設けられている。手口挿入部８は、通常の状態では、所定の大きさよりも小さな開口になるように形成されている。拳サポータカバー１を拳サポータに取付ける際、および、拳サポータを拳に装着する際は、ゴム６を伸張させることにより、手口挿入部８を所定の大きさに広げる。拳サポータを使用する際は、ゴム６の弾性により、拳サポータカバー１が装着者の手首に密着する。
【００７３】
図３は、拳サポータカバー１が取付けられる拳サポータ１０を示した正面図である。また、図４は、拳サポータ１０を示した背面図である。
【００７４】
図３，図４に示すように、拳サポータ１０は、手甲部１１と手首部１２とを有する。手甲部１１は、緩衝材を表皮で覆うことにより形成され、その厚みは、装着者の指の根元の関節（ＭＰ（Ｍｅｔａｃａｒｐａｌ  Ｐｈａｌａｎｇｅａｌ）関節）を覆う部分において最も大きく、６０ｍｍ程度である。
【００７５】
手甲部１１は、中央部１１Ａと先端部１１Ｂとを有する。中央部１１Ａは、装着者の手の甲部分を覆い、先端部１１Ｂは、上記ＭＰ関節を覆う部分の近傍から、中央部１１Ａに対して、掌側にほぼ垂直に立ち上がり、装着者の人差し指から小指までの基節骨および中節骨付近を覆う。
【００７６】
他の観点では、手甲部１１は、外側部分１１Ｃと内側部分１１Ｄとを有する。外側部分１１Ｃは、拳サポータ１０の装着時に外側に位置し、内側部分１１Ｄは、装着時に装着者の拳と直接接する。
【００７７】
手首部１２には、ベルト１２Ａの一端が縫着されている。ベルト１２Ａの手首部１２上に縫着された部分には、面ファスナ１２Ｂが設けられている。ベルト１２Ａの他端の裏面には、面ファスナ１２Ｂと噛み合う他の面ファスナ（図示せず）が設けられている。拳サポータ１０を装着した後、ベルト１２Ａを装着者の手首に巻きつけ、面ファスナにより、ベルト１２Ａの他端を手首部１２に固定することができる。
【００７８】
手甲部１１の中央部１１Ａには、親指挿入部１３Ａが縫着される。また、手甲部１１の内側の先端部１１Ｂには、指挿入部１３Ｂ（人差し指、中指、薬指、小指）が形成される。また、中央部１１Ａと先端部１１Ｂとの境界部分近傍には、ゴム１３Ｃが縫着される。親指カバー部１３Ａに親指を挿入し、手甲部１１とゴム１３Ｃとの間および指挿入部１３Ｂに４本の指（人差し指、中指、薬指、小指）を挿入して、拳サポータ１０を装着する。
【００７９】
図５は、拳サポータカバー１を拳サポータ１０に取付けた状態を示した正面図である。
【００８０】
この状態で、拳サポータ１０を装着する手順について、以下に説明する。
【００８１】
まず、手口挿入部８から、装着者の手を挿入する。そして、親指カバー部４内に位置する親指挿入部１３Ａに親指を挿入し、指挿入部１３Ｂおよび開口部２Ｂに人差し指、中指、薬指および小指を挿入する。人差し指から中指の先端は、拳サポータカバーの外部に突出する。次に、ベルト１２Ａを装着者の手首部に巻きつけ、その自由端を面ファスナ１２Ｂにより手首部１２に固定する。これにより、拳サポータカバー１を取付けた拳サポータが装着される。
【００８２】
拳サポータカバーのうち、装着者の掌部２０（図５中の二点鎖線で囲まれる領域およびその近傍）を覆う部分は、装着者の汗などにより湿気を含みやすい。したがって、手掌カバー部２を構成する素材として、手甲カバー部３を構成する素材とは異なる、より通気性の高いものを用いてもよい。このような素材としては、たとえばメッシュ材などが考えられる。
【００８３】
以上、本発明の実施の形態および実施例について説明したが、今回開示された実施の形態および実施例は全ての点で例示であって制限的なものではないと考えられるべきである。本発明の範囲は特許請求の範囲によって示され、特許請求の範囲と均等の意味および範囲内での全ての変更が含まれることが意図される。
【図面の簡単な説明】
【００８４】
【図１】本発明の１つの実施例に係る拳サポータカバーを示した正面図である。
【図２】本発明の１つの実施例に係る拳サポータカバーを示した背面図である。
【図３】拳本発明の１つの実施例に係る拳サポータカバーが取付けられる拳サポータを示した正面図である。
【図４】拳本発明の１つの実施例に係る拳サポータカバーが取付けられる拳サポータを示した背面図である。
【図５】図１，図２に示す拳サポータカバーを図３，図４に示す拳サポータに取付けた状態を示した正面図である。
【符号の説明】
【００８５】
１  拳サポータカバー、２  手掌カバー部、２Ａ  補強部、２Ｂ  開口部、３  手甲カバー部、４  親指カバー部、４Ａ  耐ピリング補強部、５  接続補強部、６  ゴム（帯状部材）、７  スリップ抑制材、８  手口挿入部、１０  拳サポータ、１１  手甲部、１１Ａ  中央部、１１Ｂ  先端部、１１Ｃ  外側部分、１１Ｄ  内側部分、１２  手首部、１２Ａ  ベルト、１２Ｂ  面ファスナ、１３Ａ  親指挿入部、１３Ｂ  指挿入部（人差し指、中指、薬指、小指）、１３Ｃ  ゴム、２０  掌部。
【図１】
2005261482.tif 000003
【図２】
2005261482.tif 000004
【図３】
2005261482.tif 000005
【図４】
2005261482.tif 000006
【図５】
2005261482.tif 000007